(57)【特許請求の範囲】
【請求項１】
物品の収納部の前側が、枠にミラーが取り付けられてなる鏡扉で塞がれ、この鏡扉の裏側にあたる収納部内の前側位置に、物品の落下を防止するためのバーが設けられているミラーキャビネットであって、上記の枠の下側の横枠部に、その長手方向に沿って奥行きがバーまでの長さの小物入れ部が設けられ、この小物入れ部が樋状に形成され、またこの小物入れ部が横枠部の上端に、横枠部と一体状に成形されていることを特徴とするミラーキャビネット。
【請求項２】
物品の収納部の前側が、枠にミラーが取り付けられてなる鏡扉で塞がれ、この鏡扉の裏側にあたる収納部内の前側位置に、物品の落下を防止するためのバーが設けられているミラーキャビネットであって、上記の枠の上側の横枠部に、タオルを掛けるための棒状部を有し、奥行きがバーまでの長さのタオル掛けが設けられていることを特徴とするミラーキャビネット。
【発明の詳細な説明】
【技術分野】
【０００１】
本発明は、洗面室等に設置して使用するミラーキャビネットに関し、更に詳しくは収納部の前側が鏡扉で塞がれ、収納部内に物品の落下防止バーが設けられているミラーキャビネットに関するものである。
【背景技術】
【０００２】
従来この種のキャビネットとしては、鏡扉の裏面に、小物を収納するためのポケットやタオル等を吊るすためのバーが設けられているものや、棚板が起伏動作自在に設けられているものがある（例えば特許文献１〜３参照）。
【０００３】
ところでこの種のキャビネットは、収納する化粧品等の物品の落下を防止するため、収納部の前側に、落下防止用のバーが設けられていることが多い。
而してこの種のバーは、収納部内の両側面に横に渡して取り付ける必要性から、収納部の前面ぎりぎりに設けることができず、前面より少し奥側の位置に設けられるのが通例である。
従って従来品の場合は、鏡扉を閉めたとき、鏡扉の裏面と、この種のバーまでの間が、デッドスペース化するのを避けられなかった。
また従来品は、通常、ヘアピン等の細長い収納物を鏡の近くに効率良く収納する機能を持っていなかった。
【特許文献１】実開平５−２０６３５号公報
【特許文献２】特開２００６−５５４０５号公報
【特許文献３】特開２００６−２５５１３０号公報
【発明の開示】
【発明が解決しようとする課題】
【０００４】
本発明は、このような従来の実情に鑑み、提案されたものである。
従って本発明の解決しようとする技術的課題は、鏡扉の裏面と物品の落下防止バーとの間のデッドスペースを有効に活用し、このスペースにへアピンのような細長い小物の収納を可能にして収納機能の向上、収納スペースの拡大を図り、使い勝手が良くなるよう形成したミラーキャビネットを提供することにある。
【課題を解決するための手段】
【０００５】
本発明は、上記の課題を解決するため、次のような技術的手段を採る。
即ち本発明は、図１、図３、図４等に示されるように、物品１の収納部２の前側が、枠３にミラー４が取り付けられてなる鏡扉５で塞がれ、この鏡扉５の裏側にあたる収納部２内の前側位置に、物品１の落下を防止するためのバー６が設けられているミラーキャビネットであって、上記の枠３の下側の横枠部３ａに、その長手方向に沿って奥行きＤがバー６までの長さの小物入れ部７が設けられ、この小物入れ部７が樋状に形成され、またこの小物入れ部７が横枠部３ａの上端に、横枠部３ａと一体状に成形されていることを特徴とする（請求項１）。
【０００６】
本発明の場合、小物入れ部７の深さ、長さ、形状等は任意である。
またここで、奥行きＤがバー６までの長さとは、奥行きＤの最大は鏡扉５の裏面からバー６までの距離であり、奥行きＤはこの距離内に納まる長さである、ということを意味する。従って奥行きＤは、本発明が鏡扉５の裏面とバー６との間のデッドスペースを有効に活用する趣旨からすれば、バー６の手前ぎりぎりの位置までに選定されるのが好ましいが、本発明はこれに限定されるものではない。
【０００７】
また本発明の課題を達成する他の構成としては、図５〜図９に示されるように形成されているものがある。
即ち、この本発明は、物品１の収納部２の前側が、枠３にミラー４が取り付けられてなる鏡扉５で塞がれ、この鏡扉５の裏側にあたる収納部２内の前側位置に、物品１の落下を防止するためのバー６が設けられているミラーキャビネットであって、上記の枠３の上側の横枠部３ｂに、タオル９を掛けるための棒状部１０ａを有し、奥行きＤがバー６までの長さのタオル掛け１０が設けられていることを特徴とする（請求項２）。
この場合も、上記のデッドスペースを有効に活用できるものである。奥行きＤがバー６までの長さの意味は、上例と同様である。なおここで、タオル９には、手拭い等の、通常、洗面室等で使用するシート状製品も含まれる。
【発明の効果】
【０００８】
本発明は、このようにミラーの取付枠の横枠部に、奥行きが物品落下防止バーまでの長さの小物入れ部が設けられているものである。
従って本発明の場合は、鏡扉の裏面と物品の落下防止バーとの間のデッドスペースに、へアピンのような細長い小物の収納が可能になるから、これによると鏡扉の裏側のデッドスペースを有効に活用でき、収納機能の向上、収納スペースの拡大を図ることができ、使い勝手が良くなるものである。
また本発明の場合は、小物入れ部が樋状に形成されているから、これによると、へアピンのような細長い小物を、指先で取り出し易くなる。
また本発明は、小物入れ部が横枠部の上端に、横枠部と一体状に成形されている。
従ってこれによると、例えば横枠部の途中の高さに形成する場合より、小物入れ部の深さを横枠部の高さの範囲で柔軟に設定でき、より使い勝手の良い小物入れ部を形成できる。また横枠部と一体状に成形されているため、これによると後付加工より、小物入れ部の形成に係る手間暇を軽減でき、強度を高くできる。
【０００９】
また請求項２に記載の本発明は、枠の上側の横枠部に、タオルを掛けるための棒状部を有し、奥行きがバーまでの長さのタオル掛けが設けられている。
従ってこれによっても、鏡扉の裏面と物品の落下防止バーとの間のデッドスペースを有効に活用でき、収納機能の向上、収納スペースの拡大を図ることができる。
【発明を実施するための最良の形態】
【００１０】
以下、本発明を実施するための最良の形態を説明する。
本発明は、図１等に示されるように、物品１の収納部２の前側が、枠３にミラー４が取り付けられてなる鏡扉５で塞がれ、この鏡扉５の裏側にあたる収納部２内の前側位置に、物品１の落下を防止するためのバー６が設けられているミラーキャビネットである。鏡扉５は、この実施形態では左右方向に計３個設けられ、三面鏡状に形成されている。
なお、鏡扉５の上方の半円筒状の部分は、照明器具を内蔵した照明カバーである。
【００１１】
而して本発明は、上記の枠３の下側の横枠部３ａに、奥行きＤがバー６までの長さの小物入れ部７が、横枠部３ａの長手方向に沿って設けられている。この小物入れ部７の奥行きＤは、この実施形態ではデッドスペースを最大限活用できるよう、バー６の手前ぎりぎりの位置までの長さに選定されている。
また小物入れ部７は、樋状に形成され、押し出し法等の成形法で横枠部３ａの上端に、横枠部３ａと一体状に成形されている。
【００１２】
なお、枠３は、この実施形態では図１Ａに示されるように、上下一対状の横枠部３ａ、３ｂで形成されている。そしてミラー４は、横枠部３ａ、３ｂに溝状に形成されている差込部８に差し込まれて取り付けられている。
本発明は、このように形成されているから、ユーザーは、図１Ｂ、図２等に示されるように、ヘアピン等の小物１３を、鏡扉５の裏側の小物入れ部７に収納して使用することができる。
【００１３】
以上の処において、本発明は、例えば図５〜図９に示されるように形成されているのでも良い。上例と同一部材、同一箇所には同一の符号を付し、詳しい説明は省略する。
【００１４】
この本発明は、上例の小物入れ部７に代え、タオル９を掛けるための棒状部１０ａを有し、奥行きＤがバー６までの長さのタオル掛け１０が、上側の横枠部３ｂに設けられているものである。なお図５において、中央の鏡扉５の上方の半円筒状の部分は、照明器具を内蔵した照明カバーである。
【００１５】
タオル掛け１０は、この実施形態では棒状部１０ａの両端が湾曲されて上側の横枠部３ｂの裏面に接続されている。ミラー４は、上例と同様、横枠部３ｂの前側に溝状に形成されている差込部８に差し込まれて取り付けられている。
【００１６】
またこの実施形態の場合、鏡扉５は、基枠１１を介して収納部２の前側に設けられている。基枠１１は、図９に示されるように、収納部２の前側の適宜位置に設けられているヒンジ１２で収納部２に開閉可能に取り付けられている。また鏡扉５は、この基枠１１にヒンジ（図示せず）で開閉可能に設けられている。従って鏡扉５は、基枠１１と一体で開閉することも、基枠１１とは別個に開閉することも可能であり、正面側から見て左右両側への開閉が可能となっている。
【００１７】
なお上記のタオル掛け１０の奥行きＤは、この実施形態では図６Ａに示されるように、上記の基枠１１の厚みと同一に選定されている。この場合は、例えば運搬時、保管時等に扉を積層しても、タオル掛け１０が突き出さないため、支障なく積層できる。
【図面の簡単な説明】
【００１８】
【図１】本発明のキャビネットの好適な一実施形態を示し、Ａは斜視図、ＢはＡのＢ−Ｂ線断面図である。
【図２】同上キャビネットの要部斜視図である。
【図３】下側の横枠部と小物入れ部を示す要部断面図である。
【図４】下側の横枠部と小物入れ部を示す要部斜視図である。
【図５】本発明のキャビネットの他の構成を示す斜視図である。
【図６】Ａは図５のＡ−Ａ線における要部断面図、Ｂは図５のＢ−Ｂ線における要部断面図である。
【図７】上側の横枠部とタオル掛けを示す要部断面図である。
【図８】上側の横枠部とタオル掛けを示す要部斜視図である。
【図９】図５の実施形態に係る本発明品の要部斜視図である。
【符号の説明】
【００１９】
１      物品
２      収納部
３      枠
３ａ    下側の横枠部
３ｂ    上側の横枠部
４      ミラー
５      鏡扉
６      バー
７      小物入れ部
Ｄ      奥行き
【図１】
0005245339.tif 000002
【図２】
0005245339.tif 000003
【図３】
0005245339.tif 000004
【図４】
0005245339.tif 000005
【図５】
0005245339.tif 000006
【図６】
0005245339.tif 000007
【図７】
0005245339.tif 000008
【図８】
0005245339.tif 000009
【図９】
0005245339.tif 000010